【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
記録媒体に対するデータ記録処理を実行する情報記録装置において、
記録媒体に格納するコンテンツの暗号化処理を実行し暗号化コンテンツを生成するとともに、コンテンツの利用制限情報を含むコンテンツの権利管理（ＤＲＭ）データの改竄チェック値（ＩＣＶ）を生成する暗号処理手段と、
前記記録媒体の物理的保護領域に対する前記改竄チェック値（ＩＣＶ）の記録処理に適用し、前記暗号化コンテンツの記録処理には適用することのない秘密情報記録専用回路と、
を有することを特徴とする情報記録装置。
【請求項２】
前記権利管理（ＤＲＭ）データは、
コンテンツの利用に関する情報、コンテンツの暗号化キーとしてのコンテンツキーを暗号化した暗号化コンテンツキー、およびコンテンツ識別子（ＩＤ）を含むものであることを特徴とする請求項１に記載の情報記録装置。
【請求項３】
前記秘密情報記録専用回路は、前記コンテンツの記録方式に適用する信号処理と異なる信号処理を適用して前記改竄チェック値（ＩＣＶ）の前記記録媒体の物理的保護領域に対する記録処理を実行する構成を有することを特徴とする請求項１に記載の情報記録装置。
【請求項４】
前記秘密情報記録専用回路は、前記コンテンツの記録方式に適用する信号処理と異なる信号処理を適用して前記改竄チェック値（ＩＣＶ）の前記記録媒体の物理的保護領域に対する記録処理を実行する構成を有するとともに、
前記秘密情報記録専用回路は、前記改竄チェック値（ＩＣＶ）を含む秘密情報を、対応コンテンツの記録媒体における記録領域に重畳する領域に記録する処理を実行する構成を有することを特徴とする請求項１に記載の情報記録装置。
【請求項５】
前記秘密情報記録専用回路は、前記コンテンツの記録領域と異なる領域に設けられた前記記録媒体の物理的保護領域に前記改竄チェック値（ＩＣＶ）の記録処理を実行する構成を有することを特徴とする請求項１に記載の情報記録装置。
【請求項６】
前記秘密情報記録専用回路は、
前記コンテンツの権利管理（ＤＲＭ）データの改竄チェック値（ＩＣＶ）と、ＩＣＶ生成検証のためのＩＣＶ生成検証キーの生成に適用するＩＣＶキーを併せて前記記録媒体の物理的保護領域に対する記録処理を実行する構成を有することを特徴とする請求項１に記載の情報記録装置。
【請求項７】
前記暗号処理手段は、
前記権利管理（ＤＲＭ）データの改竄チェック値（ＩＣＶ）の生成処理を、ＤＥＳ暗号化処理を適用したメッセージ認証符号（ＭＡＣ）生成処理として実行する構成であることを特徴とする請求項１に記載の情報記録装置。
【請求項８】
前記情報記録装置は、
複数の異なる情報記録装置をリーフとした階層ツリー構造における各ノードに固有のノードキーと各情報記録装置固有のリーフキーの異なるキーセットをそれぞれ保有し、
前記暗号処理手段は、
前記階層ツリー構造におけるリーフを構成する選択された情報記録装置においてのみ復号可能な有効化キーブロック（ＥＫＢ）の復号処理によって取得されるＥＫＢキーを適用して、前記権利管理（ＤＲＭ）データの改竄チェック値（ＩＣＶ）の生成に適用するＩＣＶキーの生成処理を実行する構成を有することを特徴とする請求項１に記載の情報記録装置。
【請求項９】
前記暗号処理手段は、
コンテンツの記録媒体に対する記録処理において、該コンテンツに対応する権利管理（ＤＲＭ）データの改竄チェック値（ＩＣＶ）が付加されている場合は、該ＩＣＶの検証処理を実行し、権利管理（ＤＲＭ）データの改竄のないことが検証されたことを条件としてコンテンツの記録媒体に対する記録処理に伴う処理を実行する構成を有することを特徴とする請求項１に記載の情報記録装置。
【請求項１０】
前記暗号処理手段は、
コンテンツの記録媒体に対する記録処理において、該コンテンツが他の装置からの送信コンテンツである場合、他装置との間における相互認証の成立を条件としてコンテンツの記録媒体に対する記録処理に伴う処理を実行する構成を有することを特徴とする請求項１に記載の情報記録装置。
【請求項１１】
前記情報記録装置は、
コンテンツの記録媒体に対する記録処理において、前記権利管理（ＤＲＭ）データの更新を実行した場合に、前記暗号処理手段において、該更新された権利管理（ＤＲＭ）データに基づく改竄チェック値（ＩＣＶ）を生成し、記録媒体に更新された権利管理（ＤＲＭ）データに基づく更新改竄チェック値（ＩＣＶ）を記録する構成であることを特徴とする請求項１に記載の情報記録装置。
【請求項１２】
記録媒体からのデータ再生処理を実行する情報再生装置において、
記録媒体に格納されたコンテンツの復号処理を実行するとともに、コンテンツの利用制限情報を含むコンテンツの権利管理（ＤＲＭ）データの改竄チェック値（ＩＣＶ）の検証を実行する暗号処理手段と、
前記記録媒体の物理的保護領域からの前記改竄チェック値（ＩＣＶ）の再生処理に適用し、前記暗号化コンテンツの再生処理には適用することのない秘密情報再生専用回路と、
を有することを特徴とする情報再生装置。
【請求項１３】
前記権利管理（ＤＲＭ）データは、
コンテンツの利用に関する情報、コンテンツの暗号化キーとしてのコンテンツキーを暗号化した暗号化コンテンツキー、およびコンテンツ識別子（ＩＤ）を含むものであることを特徴とする請求項１２に記載の情報再生装置。
【請求項１４】
前記秘密情報再生専用回路は、前記コンテンツの再生方式に適用する信号処理と異なる信号処理を適用して前記改竄チェック値（ＩＣＶ）の前記記録媒体の物理的保護領域からの再生処理を実行する構成を有することを特徴とする請求項１２に記載の情報再生装置。
【請求項１５】
前記秘密情報再生専用回路は、前記コンテンツの再生方式に適用する信号処理と異なる信号処理を適用して前記改竄チェック値（ＩＣＶ）の前記記録媒体の物理的保護領域からの再生処理を実行する構成を有するとともに、
前記秘密情報再生専用回路は、前記改竄チェック値（ＩＣＶ）を含む秘密情報を、対応コンテンツの記録媒体における記録領域に重畳する領域から再生する処理を実行する構成を有することを特徴とする請求項１２に記載の情報再生装置。
【請求項１６】
前記秘密情報再生専用回路は、前記コンテンツの記録領域と異なる領域に設けられた前記記録媒体の物理的保護領域から前記改竄チェック値（ＩＣＶ）の再生処理を実行する構成を有することを特徴とする請求項１２に記載の情報再生装置。
【請求項１７】
前記秘密情報再生専用回路は、
前記コンテンツの権利管理（ＤＲＭ）データの改竄チェック値（ＩＣＶ）と、ＩＣＶ生成検証のためのＩＣＶ生成検証キーの生成に適用するＩＣＶキーを前記記録媒体の物理的保護領域から再生する処理を実行する構成を有することを特徴とする請求項１２に記載の情報再生装置。
【請求項１８】
前記暗号処理手段は、
前記権利管理（ＤＲＭ）データの改竄チェック値（ＩＣＶ）の検証処理を、再生した前記権利管理（ＤＲＭ）データに対してＤＥＳ暗号化処理を適用したメッセージ認証符号（ＭＡＣ）を生成し、記録済みのＩＣＶと比較する処理として実行する構成であることを特徴とする請求項１２に記載の情報再生装置。
【請求項１９】
前記情報再生装置は、
複数の異なる情報再生装置をリーフとした階層ツリー構造における各ノードに固有のノードキーと各情報再生装置固有のリーフキーの異なるキーセットをそれぞれ保有し、
前記暗号処理手段は、
前記階層ツリー構造におけるリーフを構成する選択された情報再生装置においてのみ復号可能な有効化キーブロック（ＥＫＢ）の復号処理によって取得されるＥＫＢキーを適用して、前記権利管理（ＤＲＭ）データの改竄チェック値（ＩＣＶ）の生成に適用するＩＣＶキーの生成処理を実行する構成を有することを特徴とする請求項１２に記載の情報再生装置。
【請求項２０】
前記暗号処理手段は、
コンテンツの記録媒体からの再生処理において、該コンテンツに対応する権利管理（ＤＲＭ）データの改竄チェック値（ＩＣＶ）の検証処理を実行し、権利管理（ＤＲＭ）データの改竄のないことが検証されたことを条件としてコンテンツの記録媒体からの再生処理に伴う処理を実行する構成を有することを特徴とする請求項１２に記載の情報再生装置。
【請求項２１】
前記暗号処理手段は、
コンテンツの記録媒体からの再生処理において、該コンテンツが他の装置への送信コンテンツである場合、他装置との間における相互認証の成立を条件としてコンテンツの送信処理に伴う処理を実行する構成を有することを特徴とする請求項１２に記載の情報再生装置。
【請求項２２】
前記情報再生装置は、
コンテンツの記録媒体からの再生処理において、前記権利管理（ＤＲＭ）データの更新を実行した場合に、前記暗号処理手段において、該更新された権利管理（ＤＲＭ）データに基づく改竄チェック値（ＩＣＶ）を生成し、記録媒体に更新された権利管理（ＤＲＭ）データに基づく更新改竄チェック値（ＩＣＶ）を記録する構成であることを特徴とする請求項１２に記載の情報再生装置。
【請求項２３】
再生可能なコンテンツデータを記録した情報記録媒体であり、
前記記録媒体の物理的保護領域に、コンテンツの利用制限情報を含むコンテンツの権利管理（ＤＲＭ）データの改竄チェック値（ＩＣＶ）を格納したことを特徴とする情報記録媒体。
【請求項２４】
前記権利管理（ＤＲＭ）データは、
コンテンツの利用に関する情報、コンテンツの暗号化キーとしてのコンテンツキーを暗号化した暗号化コンテンツキー、およびコンテンツ識別子（ＩＤ）を含むものであることを特徴とする請求項２３に記載の情報記録媒体。
【請求項２５】
前記物理的保護領域は、前記コンテンツの記録方式に適用する信号処理と異なる信号処理を適用したデータ記録領域である構成を有することを特徴とする請求項２３に記載の情報記録媒体。
【請求項２６】
前記物理的保護領域は、前記コンテンツの記録方式に適用する信号処理と異なる信号処理を適用したデータ記録領域であるとともに、対応コンテンツの記録媒体における記録領域に重畳する領域である構成を有することを特徴とする請求項２３に記載の情報記録媒体。
【請求項２７】
前記物理的保護領域は、前記コンテンツの記録領域と異なる領域に設けられた構成を有することを特徴とする請求項２３に記載の情報記録媒体。
【請求項２８】
前記物理的保護領域には、
前記コンテンツの権利管理（ＤＲＭ）データの改竄チェック値（ＩＣＶ）と、ＩＣＶ生成検証のためのＩＣＶ生成検証キーの生成に適用するＩＣＶキーを併せて格納した構成を有することを特徴とする２３に記載の情報記録媒体。
【請求項２９】
記録媒体に対するデータ記録処理を実行する情報記録方法において、
記録媒体に格納するコンテンツの暗号化処理を実行し暗号化コンテンツを生成するとともに、コンテンツの利用制限情報を含むコンテンツの権利管理（ＤＲＭ）データの改竄チェック値（ＩＣＶ）を生成する暗号処理ステップと、
秘密情報記録専用回路を適用して前記記録媒体の物理的保護領域に対する前記改竄チェック値（ＩＣＶ）の記録処理を実行する秘密情報記録ステップと、
を有することを特徴とする情報記録方法。
【請求項３０】
前記権利管理（ＤＲＭ）データは、
コンテンツの利用に関する情報、コンテンツの暗号化キーとしてのコンテンツキーを暗号化した暗号化コンテンツキー、およびコンテンツ識別子（ＩＤ）を含むものであることを特徴とする請求項２９に記載の情報記録方法。
【請求項３１】
前記秘密情報記録ステップは、
前記秘密情報記録専用回路を適用して、前記コンテンツの記録方式に適用する信号処理と異なる信号処理を適用して前記改竄チェック値（ＩＣＶ）の前記記録媒体の物理的保護領域に対する記録処理を実行することを特徴とする請求項２９に記載の情報記録方法。
【請求項３２】
前記秘密情報記録ステップは、
前記秘密情報記録専用回路を適用して、前記コンテンツの記録方式に適用する信号処理と異なる信号処理を適用して前記改竄チェック値（ＩＣＶ）の前記記録媒体の物理的保護領域に対する記録処理を実行するとともに、
前記秘密情報記録専用回路を適用して、前記改竄チェック値（ＩＣＶ）を含む秘密情報を、対応コンテンツの記録媒体における記録領域に重畳する領域に記録する処理を実行することを特徴とする請求項２９に記載の情報記録方法。
【請求項３３】
前記秘密情報記録ステップは、
前記秘密情報記録専用回路を適用して、前記コンテンツの記録領域と異なる領域に設けられた前記記録媒体の物理的保護領域に前記改竄チェック値（ＩＣＶ）の記録処理を実行することを特徴とする請求項２９に記載の情報記録方法。
【請求項３４】
前記秘密情報記録ステップは、
前記秘密情報記録専用回路を適用して、前記コンテンツの権利管理（ＤＲＭ）データの改竄チェック値（ＩＣＶ）と、ＩＣＶ生成検証のためのＩＣＶ生成検証キーの生成に適用するＩＣＶキーを併せて前記記録媒体の物理的保護領域に対する記録処理を実行することを特徴とする請求項２９に記載の情報記録方法。
【請求項３５】
前記暗号処理ステップは、
前記権利管理（ＤＲＭ）データの改竄チェック値（ＩＣＶ）の生成処理を、ＤＥＳ暗号化処理を適用したメッセージ認証符号（ＭＡＣ）生成処理として実行することを特徴とする請求項２９に記載の情報記録方法。
【請求項３６】
前記情報記録方法において、
情報記録装置は、複数の異なる情報記録装置をリーフとした階層ツリー構造における各ノードに固有のノードキーと各情報記録装置固有のリーフキーの異なるキーセットをそれぞれ保有し、
前記暗号処理ステップは、
前記階層ツリー構造におけるリーフを構成する選択された情報記録装置においてのみ復号可能な有効化キーブロック（ＥＫＢ）の復号処理によって取得されるＥＫＢキーを適用して、前記権利管理（ＤＲＭ）データの改竄チェック値（ＩＣＶ）の生成に適用するＩＣＶキーの生成処理を実行することを特徴とする請求項２９に記載の情報記録方法。
【請求項３７】
前記暗号処理ステップは、さらに、
コンテンツの記録媒体に対する記録処理において、該コンテンツに対応する権利管理（ＤＲＭ）データの改竄チェック値（ＩＣＶ）が付加されている場合は、該ＩＣＶの検証処理を実行し、権利管理（ＤＲＭ）データの改竄のないことが検証されたことを条件としてコンテンツの記録媒体に対する記録処理に伴う処理を実行することを特徴とする請求項２９に記載の情報記録方法。
【請求項３８】
前記情報記録方法において、
コンテンツの記録媒体に対する記録コンテンツが他の装置からの送信コンテンツである場合、他装置との間における相互認証の成立を条件としてコンテンツの記録媒体に対する記録処理に伴う処理を実行することを特徴とする請求項２９に記載の情報記録方法。
【請求項３９】
前記情報記録方法は、さらに、
コンテンツの記録媒体に対する記録処理において、前記権利管理（ＤＲＭ）データの更新を実行した場合に、前記暗号処理手段において、該更新された権利管理（ＤＲＭ）データに基づく改竄チェック値（ＩＣＶ）を生成し、記録媒体に更新された権利管理（ＤＲＭ）データに基づく更新改竄チェック値（ＩＣＶ）を記録するステップを含むことを特徴とする請求項２９に記載の情報記録方法。
【請求項４０】
記録媒体からのデータ再生処理を実行する情報再生方法において、
記録媒体に格納されたコンテンツの復号処理を実行するとともに、コンテンツの利用制限情報を含むコンテンツの権利管理（ＤＲＭ）データの改竄チェック値（ＩＣＶ）の検証を実行する暗号処理ステップと、
秘密情報再生専用回路を適用して前記記録媒体の物理的保護領域からの前記改竄チェック値（ＩＣＶ）の再生処理を実行する秘密情報再生ステップと、
を有することを特徴とする情報再生方法。
【請求項４１】
前記権利管理（ＤＲＭ）データは、
コンテンツの利用に関する情報、コンテンツの暗号化キーとしてのコンテンツキーを暗号化した暗号化コンテンツキー、およびコンテンツ識別子（ＩＤ）を含むものであることを特徴とする請求項４０に記載の情報再生方法。
【請求項４２】
前記秘密情報再生ステップは、
前記秘密情報再生専用回路を適用して、前記コンテンツの再生方式に適用する信号処理と異なる信号処理を適用して前記改竄チェック値（ＩＣＶ）の前記記録媒体の物理的保護領域からの再生処理を実行することを特徴とする請求項４０に記載の情報再生方法。
【請求項４３】
前記秘密情報再生ステップは、
前記秘密情報再生専用回路を適用して、前記コンテンツの再生方式に適用する信号処理と異なる信号処理を適用して前記改竄チェック値（ＩＣＶ）の前記記録媒体の物理的保護領域からの再生処理を実行するとともに、
前記秘密情報再生専用回路を適用して、前記改竄チェック値（ＩＣＶ）を含む秘密情報を、対応コンテンツの記録媒体における記録領域に重畳する領域から再生する処理を実行することを特徴とする請求項４０に記載の情報再生方法。
【請求項４４】
前記秘密情報再生ステップは、
前記秘密情報再生専用回路を適用して、前記コンテンツの記録領域と異なる領域に設けられた前記記録媒体の物理的保護領域から前記改竄チェック値（ＩＣＶ）の再生処理を実行することを特徴とする請求項４０に記載の情報再生方法。
【請求項４５】
前記秘密情報再生ステップは、
前記秘密情報再生専用回路を適用して、前記コンテンツの権利管理（ＤＲＭ）データの改竄チェック値（ＩＣＶ）と、ＩＣＶ生成検証のためのＩＣＶ生成検証キーの生成に適用するＩＣＶキーを前記記録媒体の物理的保護領域から再生する処理を実行することを特徴とする請求項４０に記載の情報再生方法。
【請求項４６】
前記暗号処理ステップは、
前記権利管理（ＤＲＭ）データの改竄チェック値（ＩＣＶ）の検証処理を、再生した前記権利管理（ＤＲＭ）データに対してＤＥＳ暗号化処理を適用したメッセージ認証符号（ＭＡＣ）を生成し、記録済みのＩＣＶと比較する処理として実行するステップを含むことを特徴とする請求項４０に記載の情報再生方法。
【請求項４７】
前記情報再生方法において、
情報再生装置は、複数の異なる情報再生装置をリーフとした階層ツリー構造における各ノードに固有のノードキーと各情報再生装置固有のリーフキーの異なるキーセットをそれぞれ保有し、
前記暗号処理ステップは、
前記階層ツリー構造におけるリーフを構成する選択された情報再生装置においてのみ復号可能な有効化キーブロック（ＥＫＢ）の復号処理によって取得されるＥＫＢキーを適用して、前記権利管理（ＤＲＭ）データの改竄チェック値（ＩＣＶ）の生成に適用するＩＣＶキーの生成処理を実行することを特徴とする請求項４０に記載の情報再生方法。
【請求項４８】
前記暗号処理ステップは、さらに、
コンテンツの記録媒体からの再生処理において、該コンテンツに対応する権利管理（ＤＲＭ）データの改竄チェック値（ＩＣＶ）の検証処理を実行し、権利管理（ＤＲＭ）データの改竄のないことが検証されたことを条件としてコンテンツの記録媒体からの再生処理に伴う処理を実行することを特徴とする請求項４０に記載の情報再生方法。
【請求項４９】
前記情報再生方法において、
コンテンツの記録媒体からの再生処理において、該コンテンツが他の装置への送信コンテンツである場合、他装置との間における相互認証の成立を条件としてコンテンツの送信処理に伴う処理を実行することを特徴とする請求項４０に記載の情報再生方法。
【請求項５０】
前記情報再生方法は、さらに、
コンテンツの記録媒体からの再生処理において、前記権利管理（ＤＲＭ）データの更新を実行した場合に、前記暗号処理手段において、該更新された権利管理（ＤＲＭ）データに基づく改竄チェック値（ＩＣＶ）を生成し、記録媒体に更新された権利管理（ＤＲＭ）データに基づく更新改竄チェック値（ＩＣＶ）を記録するステップを含むことを特徴とする請求項４０に記載の情報再生方法。
【請求項５１】
記録媒体に対するデータ記録処理をコンピュータ・システム上で実行せしめるコンピュータ・プログラムを提供するプログラム記憶媒体であって、前記コンピュータ・プログラムは、
記録媒体に格納するコンテンツの暗号化処理を実行し暗号化コンテンツを生成するとともに、コンテンツの利用制限情報を含むコンテンツの権利管理（ＤＲＭ）データの改竄チェック値（ＩＣＶ）を生成する暗号処理ステップと、
秘密情報記録専用回路を適用して前記記録媒体の物理的保護領域に対する前記改竄チェック値（ＩＣＶ）の記録処理を実行する秘密情報記録ステップと、
を有することを特徴とするプログラム記憶媒体。
【請求項５２】
記録媒体からのデータ再生処理をコンピュータ・システム上で実行せしめるコンピュータ・プログラムを提供するプログラム記憶媒体であって、前記コンピュータ・プログラムは、
記録媒体に格納されたコンテンツの復号処理を実行するとともに、コンテンツの利用制限情報を含むコンテンツの権利管理（ＤＲＭ）データの改竄チェック値（ＩＣＶ）の検証を実行する暗号処理ステップと、
秘密情報再生専用回路を適用して前記記録媒体の物理的保護領域からの前記改竄チェック値（ＩＣＶ）の再生処理を実行する秘密情報再生ステップと、
を有することを特徴とするプログラム記憶媒体。